(57)【要約】  臍帯血採取装置（１）であって、装置（１）は、先細ノズル（４）と流体連通するチャンバ（２）を備え、かつ先細ノズル（４）はその長さに沿って少なくとも１つの段部（２０）をさらに備える。【選択図】図３
2020512030.tif 000002
【特許請求の範囲】
【請求項１】
臍帯血採取装置（１）であって、装置（１）は、先細ノズル（４）と流体連通するチャンバ（２）を備え、かつ先細ノズル（４）はその長さに沿って少なくとも１つの段部（２０）をさらに備える、臍帯血採取装置。
【請求項２】
前記先細ノズル（４）が、遠位端（１０）、開口部（１２）、および内部チャネル（１４）を備える、請求項１に記載の装置（１）。
【請求項３】
前記先細ノズル（４）が、その長さに沿って一連の段部（２０）を含み、当該一連の段部（２０）が、異なる直径を有する一連の収集容器（１００）と係合するように構成される、請求項２に記載の装置（１）。
【請求項４】
前記段部（２０）が前記収集容器（１００）の開口端部（１０６）と係合するように構成される、請求項３に記載の装置（１）。
【請求項５】
前記ノズル（４）が、その遠位端（１０）にルアーロック（５０）をさらに備える、請求項１〜４のいずれか一項に記載の装置（１）。
【請求項６】
前記ルアーロック（５０）が、前記ノズル（４）の前記遠位端（１０）と一体化されかつ恒久的に接続されている、請求項５に記載の装置（１）。
【請求項７】
前記ルアーロック（５０）は、前記ノズル（４）の遠位端（１０）のネジ山にねじ込まれる前記ルアーロック（５０）上の雄型継手によって前記ノズル（４）に固定されるように構成される、請求項５に記載の装置（１）。
【請求項８】
前記ルアーロック（５０）は、前記ノズル（４）の遠位端（１０）の雄型継手にねじ込まれる前記ルアーロック（５０）上の雌型継手によって前記ノズル（４）に固定するように構成される、請求項５に記載の装置（１）。
【請求項９】
前記チャンバ（２）が、空間（７）を囲む壁（８）、臍帯の遠位端を受容するようになっている開口端（６ａ）、ノズル（４）と流体連通している開口端（６ｂ）とを備える、請求項１〜８のいずれか一項に記載の装置。
【請求項１０】
前記チャンバ（２）が、前記収集容器（１００）の前記開放端（１０６）を受容し、これと係合するようになっている段部（１６）をさらに備える、請求項１〜９のいずれか一項に記載の装置（１）。
【請求項１１】
前記チャンバ（２）の前記壁（８）が、テクスチャード加工された内面をさらに含む、請求項１〜１０のいずれか一項に記載の装置（１）。
１２．前記装置が、ポリプロピレン、ポリエチレン（ＰＥ）、ポリエチレンテレフタレート（ＰＥＴ）、ポリエチレンテレフタレートコポリマー（ＰＥＴＧ）、非晶質ポリエチレンテレフタレート（ＡＰＥＴ）、アクリロニトリル−ブタジエン−スチレン（ＡＢＳ）、スチレンアクリロニトリル（ＳＡＮ）、耐衝撃性ポリスチレン（ＨＩＰＳ）、ポリカーボネート（ＰＣ）、（薄肉）外科用ステンレス鋼から選択される耐久性と同時に剛性のある材料から構成される、請求項１〜１１のいずれか一項に記載の装置（１）。
【請求項１２】
前記装置がポリスチレンから構成されている、請求項１〜１１のいずれか一項に記載の装置（１）。
【請求項１３】
前記装置が予め滅菌されている、請求項１〜１３のいずれか一項に記載の装置（１）。
【請求項１４】
前記装置（１）が複数の用途に適している、請求項１〜１２のいずれか一項に記載の装置（１）。
【請求項１５】
前記装置は、例えば医療施設の中央滅菌サービス部門（ＣＳＳＤ）における複数の滅菌サイクルに適している、請求項１５に記載の装置（１）。
【請求項１６】
前記装置が無針である、請求項１〜１６のいずれか一項に記載の装置（１）。
【請求項１７】
スタンド（４００）が基部（４０２）と容器（４０４）を備える、請求項１に記載の装置（１）と共に使用するためのスタンド（４００）。
【請求項１８】
容器（１００）のキャップを固定し収容するように構成されたエンクロージャ（４０６、５０６）をさらに備える、請求項１８に記載のスタンド（４００）。
【請求項１９】
請求項１に記載の装置（１）を含む、臍帯血を採取するためのキット。
【請求項２０】
請求項１８に記載のスタンド（４００）をさらに備える、請求項２０に記載のキット。
【請求項２１】
１つ以上の収集容器（１００）をさらに含む、請求項２０または２１に記載のキット。
【請求項２２】
カテーテル、接続チューブ、臍帯クランプ、ジアテルミー／器具ポーチ、ドレープ、ベビーブランケット、ハンドタオル、メイヨーカバー、シャープスボックス、綿棒、ヤンカウアー、ガウン、トロリーカバー、ラップ、クレープ、バッグ、およびブリーザーを含む、請求項２０〜２２のいずれか一項に記載のキット。
【発明の詳細な説明】
【技術分野】
【０００１】
本発明は、臍帯血採取装置に関する。特に、本発明は、様々な異なる収集容器への送達のために臍帯血を採取するための装置に関する。
【背景技術】
【０００２】
臍帯血採取は、胎児の酸塩基分析、血液型分類、遺伝子スクリーニング、ヘモグロビン症スクリーニング、凝固障害スクリーニング、および敗血症スクリーニングなどの様々な診断およびスクリーニング検査のために行われる。臍帯血の採取は、臍帯幹細胞採取のためにも行われる。実現可能であれば、臍帯血を採取することは新生児の末梢血サンプリングよりも多くの利点を提供する。これらの利点には、新生児を危険にさらすことなく大量の血液を得ることができること、および瀉血誘発性貧血（早期患者における貧血の主な原因の１つ）の減少が含まれるが、これらに限定されない。
【０００３】
臍帯血の採取に利用される一般的な方法は２つある。１つの方法は、（例えば搾乳によって）臍帯の切断端から臍帯血を排出し、動脈／静脈血混合試料を生成することを含む。もう１つは、針と注射器を使って臍帯動脈／静脈から直接臍帯血を採取することである。後者は信頼性の高い臍帯血酸塩基分析に現在必要とされている。しかしながら、広範囲の一般的な診断およびスクリーニング試験（ロタンダ病院だけで１年に約２０００）は、排出技術を介して得られた臍帯血を利用して完了することができる。この技術は、一般に、供給された胎盤にまだ取り付けられている間に、切断された臍帯の遠位端からキャップされていない万能収集管（例えば、２０ｍｌのＳａｒｓｔｅｄｔ万能管）に血液を「搾り出す」ことからなる。この搾乳技術では、臍帯を同じ手の人差し指と親指で固定しながら、ユニバーサルチューブを片手で保持する。同時に、臍帯をもう一方の手で握り、必要量の血餅のない血液が集められるまで、臍帯血を万能管に「搾り出す」。この過程では、血液がこぼれることが一般的であり、万能管の外側はしばしば血液で汚染されており、その後洗浄しなければならない。さらに、血液の飛沫が一般的であるため、個人用防護服および機器（ＰＰＣＥ）が必要です。次に、万能管を実験室に送り、そこで血液を万能管から適切な保存剤（例えばＥＤＴＡ）を含む一連の標準的な実験室管に手動で移送しなければならない。
【０００４】
あるいは、直接的な静脈または動脈の試料が必要とされない場合（例えば、血液型分類、遺伝子検査、ヘモグロビン症／凝固障害スクリーニング）、臍帯に沿った局所的な血液領域にアクセスするために針および注射器を導入してもよい。これにより、血液サンプルを適切な採血管に直接移すことができる。針と注射器を使用すると、血液を万能の採集管に搾乳するときに遭遇する血液の漏出と汚染の量も減らすことができる。針と注射器の技術が使用されるとき、以下の方法が使用され得る。
【０００５】
ａ）臍帯は胎盤によって「固定」されている。すなわち、臍帯は胎盤に固定されたままであり、固定基部を提供する。片方の手で胎盤から伸びた臍帯を持ち、もう片方の手で針を持ち、挿入して目に見える血管から血液を抜き取る。その後、血液はシリンジから血液チューブに移される。
ｂ）臍帯を片方の手に巻き付け、もう片方の手で針を保持して挿入し、目に見える血管から血液を抜き取る。その後、血液はシリンジから血液チューブに移される。
ｃ）２本のクランプがコードの長さに取り付けられており、コードはクランプの周りに巻き付けられている。個人の両手は自由に針を挿入し、血液を引き抜くことができる。その後、血液はシリンジから血液チューブに移される。
【０００６】
上記の臍帯血採取方法に関連するいくつかの問題がある。これらには以下が含まれる：
・万能収集管から適切な分析管への移動に関連するサブサンプリングエラー（例：誤ったラベル付け）
・万能収集管における抗凝固因子の欠如と関連した危険性のある試料生存度。
・プロセスの一般的な妨害。
・血液の飛沫および漏出の職業上の危険
・針刺傷の職業上の危険
・規制当局との品質管理および安全性の不適合（アイルランドの国家認定委員会、医療セクター規制における欧州連合の鋭利器材損傷防止）。
【０００７】
臍帯血を採取するように設計されている他の製品にはＵｍｂｉｌｉｃｕｐ（商標）がある。Ｕｍｂｉｌｉｃｕｐ（商標）を用いて、動脈／静脈混合試料が切断した臍帯から排出される。Ｕｍｂｉｌｉｃｕｐ（商標）は、ユーザーが臍帯を固定するか、固定して切断する必要がある。Ｕｍｂｉｌｉｃｕｐ（商標）を使用すると、血液が針を介して真空の保存管に移される前に、血液が溜まる。これは血栓形成の危険性をもたらし、それは試料の完全性を危うくする可能性がある。さらに、Ｕｍｂｉｌｉｃｕｐ（商標）の針設計のために、採集管キャップは針の挿入を可能にしなければならず、適合する採血管の範囲を制限する。最後に、最小限に抑えられているが、Ｕｍｂｉｌｉｃｕｐ（商標）では針刺傷のリスクが排除されない。
【０００８】
米国特許第８４８６０３４号は、加圧容器および針を用いて胎盤または臍帯から血液を採取するための複雑な装置を記載している。針刺傷のリスクが存在し、装置の複雑さはそれを使用するのを面倒でそして過度に複雑な装置にする。英国特許出願公開第２３０２７３４号明細書は、臍帯の切断され、固定された部分から臍帯血を収集するために使用される蓋および針を備えた装置を記載している。針刺傷のリスクの問題がある。米国特許第６１０２８７１号は、２つの出口を有する漏斗を含む臍帯血採取装置を記載している。臍帯の一部を胎盤から切り取り、一端を固定して漏斗に入れる。この装置は扱いにくく、そして臍帯から血液を集めるときには管は出口にゆるく取り付けられている。ＵＳ２０１０／０８１９６６明細書は、臍帯切片からの血流を止めるためのラチェット機構を含む臍帯細胞採取装置を記載している。臍帯部分は、複数の構成要素を有する容器内に配置されている。ＵＳ２００３／２２０６０１は、シース付き針を有するルアー収集装置と流体連通する容器を含む体液収集装置を記載している。針刺傷のリスクはこの装置で明らかであり、そして臍帯の部分は容器に置かれる前に切断されそして締め付けられる。これは、臍帯が滑り落ちて、血液を採取するために重力だけを使用するという問題を引き起こす。この装置（および上記の類似の装置）を使用すると、血液が貯留して血栓が形成される危険がある。
【０００９】
本発明の目的は、上述の問題のうちの少なくともいくつかを克服することである。
【発明の概要】
【００１０】
本発明によれば、添付の特許請求の範囲に記載されているように、臍帯血採取装置１が提供され、この装置１は、先細ノズル４と流体連通するチャンバ２を備える。
【００１１】
先細ノズル４は、その長さに沿って少なくとも１つの段部２０をさらに備えることが好ましい。
【００１２】
また、臍帯血採取装置１が提供され、この装置１は先細ノズル４と流体連通するチャンバ２を備え、先細ノズル４は、その長さに沿って少なくとも１つの段部２０をさらに備える。
【００１３】
好ましくは、先細ノズル４は、遠位端１０、開口部１２、および内部チャネル１４を備える。
【００１４】
理想的には、先細ノズル４はその長さに沿って一連の段部２０を含み、一連の段部２０は異なる直径を有する一連の収集容器１００と係合するように構成される。好ましくは、段部２０は、収集容器１００の開口端部１０６と係合するように構成される。
【００１５】
好ましくは、ノズル４は、その遠位端１０にルアーロック５０をさらに含む。好ましくは、ルアーロック５０は、ノズル４の遠位端１０と一体化されかつ恒久的に接続される。ルアーロック５０はまた、ノズル（４）の遠位端（１０）のネジ山にねじ込まれるルアーロック（５０）上の雄型継手によってノズル（４）に固定されるように構成されてもよい。ルアーロック５０はまた、ノズル（４）の遠位端（１０）の雄型継手にねじ込まれるルアーロック（５０）上の雌型継手によってノズル（４）に固定するように構成されてもよい。
【００１６】
好ましくは、チャンバ２は、空間７を囲む壁８と、臍帯の遠位端とノズル４と流体連通する開口端６ｂとを受容するようになっている開口端６ａとを備える。
【００１７】
好ましくは、チャンバ２の形状は実質的に円形または多面的である。
【００１８】
好ましくは、チャンバ２は、収集容器１００の開口端部１０６を受け入れてこれと係合するようになっている段部１６をさらに含む。段部１６は、開口端６ｂとノズル４との間に位置している。
【００１９】
一般に、チャンバ２は、長さが１ｃｍ〜３０ｃｍの間、好ましくは約２ｃｍ〜約２５ｃｍの間、より好ましくは約３ｃｍ〜約２０ｃｍの間、そして適切には約３ｃｍ〜約１０ｃｍの間の長さである。理想的には、チャンバ２は長さが約３〜約５ｃｍの間、例えば長さが約４ｃｍである。
【００２０】
好ましくは、チャンバ２の壁８は、テクスチャード加工内面をさらに含む。
【００２１】
本発明の一実施形態では、臍帯血採取装置は、滅菌済みの使い捨て装置であり得る。
【００２２】
一実施形態では、臍帯血採取装置は複数の用途に適している。好ましくは、この装置は、例えば医療施設の中央滅菌サービス部門（ＣＳＳＤ）における複数の滅菌サイクルに適している。
【００２３】
臍帯血採取装置は、２つの主な要素、すなわち１）臍帯を収容するようになっているチャンバ、および２）収集容器を収容してこれと係合するノズルからなる単一部品として熱成形することができる。
【００２４】
一実施形態では、構成材料は、適切には、耐久性と同時に剛性のある材料、例えば、ポリプロピレン、ポリエチレン（ＰＥ）、ポリエチレンテレフタレート（ＰＥＴ）、ポリエチレンテレフタレートコポリマー（ＰＥＴＧ）、非晶質ポリエチレンテレフタレート（ＡＰＥＴ）、アクリロニトリル−ブタジエン−スチレン（ＡＢＳ）、スチレンアクリロニトリル（ＳＡＮ）、耐衝撃性ポリスチレン（ＨＩＰＳ）、ポリカーボネート（ＰＣ）、（薄肉）外科用ステンレス鋼である。別の実施形態では、装置はポリスチレンなどの非医学的ポリマーで作ることもできる。
【００２５】
一実施形態では、チャンバの壁は、約０．０５ｍｍ〜約２．０ｍｍ、好ましくは約０．１ｍｍ〜約１．８ｍｍ、より好ましくは約０．７５ｍｍ〜１．８ｍｍ、理想的には約１．３ｍｍ〜約１．６ｍｍの厚さを有する。一実施形態では、ノズルの壁は、チャンバと同じまたは類似の厚さ、すなわち約１．４ｍｍを有する。
【００２６】
好ましくは、チャンバの壁は、テクスチャード加工内面をさらに含む。
【００２７】
好ましくは、装置はポリスチレンのような非医学的材料から構成される。
【００２８】
好ましくは、装置は予め滅菌されている。好ましくは、装置は使い捨て装置である。好ましくは、装置は複数の用途に適している。好ましくは、装置は、例えば医療施設の中央滅菌サービス部門（ＣＳＳＤ）における複数の滅菌サイクルに適している。
【００２９】
好ましくは、装置は無針である。
【００３０】
上述の装置と共に使用するためのスタンドも提供され、スタンドは基部と容器とを含む。好ましくは、スタンドは、容器のキャップを固定し収容するように構成されたエンクロージャをさらに含む。
【００３１】
一実施形態では、臍帯血を採取するためのキットが提供され、キットは上記の装置を含む。好ましくは、キットは本明細書に記載のスタンドをさらに含む。
【００３２】
好ましくは、キットは１つ以上の収集容器１００をさらに含む。加えて、キットは、カテーテル、接続チューブ、臍帯クランプ、ジアテルミー／器具ポーチ、ドレープ、ベビーブランケット、ハンドタオル、メイヨーカバー、シャープスボックス、綿棒、ヤンカウアー、ガウン、トロリーカバー、ラップ、クレープ、バッグ、ブリーザーをさらに含む。
【００３３】
一実施形態では、一端が臍帯を受け入れるために開いており、他端が内向きに先細になって開いており、臍帯血を収集容器に分配するように構成されている臍帯血収集ノズルが提供される。
【００３４】
一実施形態では、「臍帯血」という用語は、臍帯自体からの血液だけでなく出産後に胎盤に残っている血液も含む、臍帯から供給された血液を意味すると理解されるべきである。採取された臍帯血は（造血性）幹細胞を含み、これは造血性疾患および遺伝性疾患の治療に使用することができる。
【図面の簡単な説明】
【００３５】
本発明は、添付の図面を参照して、単なる例として示される本発明の実施形態の以下の説明からより明確に理解されるであろう。
【図１】図１Ａは、本発明の臍帯血採取装置の一の実施形態の側面図を示す。一方、図１Ｂは底面図、図１Ｃは斜視図、図１Ｄは収集容器が取り付けられた図１Ａの側面図を示す。
【図２】図２Ａは、装置の一の実施形態の縦断面図を示す。図２Ｂは、装置の実施形態の底面図を示す。図２Ｃは、本発明の装置の実施形態の斜視図を示す。
【図３】図３Ａ〜３Ｃは、様々な直径の収集管に係合して、図２の臍帯血採取装置の縦断面図を示す。
【図４】図４Ａは、一連の臍帯血分析用の管（Ｖａｃｕｅｔｔｅ（登録商標）９ｍｌ  Ｋ３ＥＤＴＡ、Ｓａｒｓｔｅｄｔ  Ｍｏｎｏｖｅｔｔｅ（登録商標）７．５ｍｌ  ＥＤＴＡ  ＫＥ、Ｖａｃｕｅｔｔｅ（登録商標）２．５ｍｌ  Ｋ３ＥＤＴＡ、Ｓａｒｓｔｅｄｔ  Ｍｏｎｏｖｅｔｔｅ（登録商標）２．７ｍｌ  ＥＤＴＡ  ＫＥ  およびＳａｒｓｔｅｄｔ  Ｍｏｎｏｖｅｔｔｅ（登録商標）２ｍｌ  血液ガス容器、ＢＤ  Ｖａｃｕｔａｉｎｅｒ（登録商標）Ｋ２Ｅ（ＥＤＴＡ）６．０  ｍｌ、ＢＤ  Ｖａｃｕｔａｉｎｅｒ（登録商標）Ｋ２Ｅ  ４．０ｍｌ）を示す。
【図５】図５は、臍帯血採取のために、装置のハウジング内のインサイツの臍帯と共に使用される試料管に接続された臍帯血採取装置の一の実施形態の側面図を示す。
【図６】図６は、先細ノズルの開口部のルアーロックコネクタを示す、図１または図２の臍帯血採取装置の一の実施形態の側面図を示す。
【図７Ａ】図７Ａ及び７Ｂは、本発明の装置のためのスタンドの斜視図を示す。
【図７Ｂ】同上。
【発明を実施するための形態】
【００３６】
材料および方法
本明細書に記載の装置を利用すると、臍帯血を臍帯の切断端から安全かつ効果的に採取することができる。必要な材料としては、送達された臍帯の切断端（ここで、（ａ）胎盤に取り付けられ切断される、または（ｂ）胎盤から切断され、いずれかまたは両方の切断端でクランプされる）、採血管および明細書に記載の装置が含まれる。手袋、ガウン、フェイスマスクなどの個人用防護服と備品（ＰＰＣＥ）も、血液を集める研究所の安全な作業手順に従って、臍帯血を採取する人が着用することになるだろう。採血管のキャップを外し、本明細書に記載の装置のノズルを管に挿入する。本明細書に記載の装置のノズルと収集管との間の確実な接続は、ノズルの先細の段付き設計によって達成される。一方の手は、切断臍帯の遠位端を本明細書に記載の装置のチャンバ内に挿入するために使用され、他方の手は、収集管をしっかりと取り付けた状態で本明細書に記載の装置を保持する。臍帯の遠位端は、同じ手の親指が装置および取り付けられた管を保持している状態でチャンバ内の適所に安定させられる。次いで、もう一方の手で臍帯血を搾乳して装置に入れる。血液は直接採集管に集められる。十分な量の血餅のない血液が採取されたら、本明細書に記載の装置を採血管から解放して脇に置く。その後、手袋を交換しながら、血液で満たされた採集管を採集管ホルダーに入れることができる。次に管を清潔な手袋でキャップをする。本明細書に記載の装置を使い捨て物品として使用する場合、その装置は臍帯／胎盤と共に廃棄することができる。装置が再使用可能な品目である場合、装置は洗浄および滅菌のために取っておき、臍帯／胎盤を捨てることができる。採血された血液は、血液型判定、幹細胞採取、遺伝子検査、一連の診断検査およびスクリーニング検査に送られる。
【００３７】
ダブリンの産科病院の多くは、臍帯血を適切な実験室用容器に直接注ぎ込むための方法として２０ｍｌシリンジ（プランジャーを取り外した状態）を使用していたが、ロタンダ病院の臨床スタッフによる試験では安全で扱いにくいと判明した。
【００３８】
本発明は、安全で実用的で効率的で使用が簡単な臍帯血採取装置を提供する。本明細書に記載の臍帯血採取装置は、臍帯血採取の一般的に採用されている方法に関連する安全性および試料品質の問題に対処する。現状の問題としては、万能収集管中の適切な保存剤の欠如に起因した危険性のある試料生存度、サブサンプリングエラー、血液の飛沫および漏出リスク、針刺傷のリスクおよび採血の一般的な妨害が挙げられる。
【００３９】
ここで図面を参照すると、図１は、本発明の臍帯血採取装置の一般的な実施形態を示しており、全体として参照番号１で参照されている。臍帯血採取装置１は、先細ノズル４と流体連通するチャンバ２を備える。チャンバ２は空間７を囲む壁８を含み、壁８は内径３と外径５を有する。チャンバ２は、臍帯の遠位端を受け入れて収容するようになっている開口端６ａと、ノズル４と流体連通する開口端６ｂとをさらに含む。開放端６ｂは、チャンバ２の空間７内に収容されている臍帯から受け取った流体をノズル４に移送するように構成されている。チャンバ２は任意の所望の形状（例えば、円形または多面（例えば、三角形、正方形、長方形、楕円形、４面、５面、６面またはそれ以上））であり得るが、チャンバ２は一般に実質的に円形である。チャンバ２は、約４ｃｍの長さを有し、これは、十分な部分の臍帯がその中に挿入されることを可能にし、そして臍帯が装置１から滑り落ちるのを防止する。一実施形態では、空間７を囲む壁８はテクスチャード加工の内面を有し、これは、装置１内に収容されたときに臍帯の遠位端でしっかり保持する。。臍帯血採取の間、装置１および取り付けられた採集容器１００を保持するために使用される手の親指で、臍帯はチャンバ２内でさらに安定化される。
【００４０】
ノズル４は、チャネル１４を介してチャンバ２の開放端６ｂと流体連通する遠位端１０を備える。遠位端１０は開口部１２を有し、開口部１２は開口端部６ｂと流体連通している。ノズル４は、遠位端１０と比較したときに開放端６ｂでより大きい直径を有する先細になっている。
【００４１】
チャンバ２はさらに、開口端部６ｂとノズル４との間でそれらの間で流体連通する段部１６を含む。段部１６は、適切な直径を有する収集容器１００の口部を受け入れて（可逆的に）係合するようになっている（図４参照）。特定のシナリオでは、収集容器１００の直径は、容器１００の口が段部１６ではなくテーパ付きノズル４自体の表面と係合するような特定のサイズとなる（図１Ｄ参照）。典型的には、収集容器１００は、開放端（口）１０６と、開放端１０６を囲む周縁（リム）または縁（リップ）１０８を有する筐体１０２を備える。装置１と収集容器１００との間の係合は確実な嵌合を提供する。確実な嵌合は可逆的であり、確実な嵌合は装置１からの臍帯血で満たされる収集容器１００の取り外しを妨害するほどにはきつくないであろう容器１００との締まりばめを提供するノズル４上のゆるやかなテーパによって達成される。この可逆的に確実な嵌合は、そうでなければ収集容器１００の露出の汚染をもたらすであろう血液漏出のあらゆる危険性を減少させるであろう。
【００４２】
図２を参照すると、本発明の臍帯血採血装置１の一実施形態が示されており、この実施形態では、前の実施形態を参照して説明された部分には同じ符号が割り当てられている。この実施形態では、ノズル４は、段部１６から遠位端１０の開口部１２まで延びる一連の段部２０を含む。これは、段部２０の円周が段部１６で最も広く始まりノズル４の遠位端１０の開口部１２に向かって次第に狭くなる図２Ａおよび２Ｃにおいてより明確に見られる。
【００４３】
段部２０は、図１について上述したように、特定の直径の筐体１０２を有する収集容器１００の開口端部１０６（図３Ａ〜Ｃ参照）にしっかりと嵌合し、そして開口端部１０６から可逆的に解放されるようになっている。一連の段部２０は、Ｖａｃｕｅｔｔｅ（登録商標）  ９ｍｌ  Ｋ３ＥＤＴＡ、Ｓａｒｓｔｅｄｔ  Ｍｏｎｏｖｅｔｔｅ（登録商標）７．５ｍｌ  ＥＤＴＡ  ＫＥ、Ｖａｃｕｅｔｔｅ（登録商標）２．５ｍｌ  Ｋ３ＥＤＴＡ、Ｓａｒｓｔｅｄｔ  Ｍｏｎｏｖｅｔｔｅ（登録商標）２．７ｍｌ  ＥＤＴＡ  ＫＥ、Ｓａｒｓｔｅｄｔ  Ｍｏｎｏｖｅｔｔｅ（登録商標）２ｍｌ  血液ガス容器、ＢＤ  Ｖａｃｕｔａｉｎｅｒ（登録商標）Ｋ２Ｅ（ＥＤＴＡ）６．０ｍｌ、ＢＤ  Ｖａｃｕｔａｉｎｅｒ（登録商標）Ｋ２Ｅ  ４．０ｍｌなどの様々な直径の収集容器１００を収容するように構成される。（図４を参照）多種多様な収集容器１００に接続して適合させることができるというこの汎用性は、本発明の装置１の１つの利点である。
【００４４】
使用時には、図５に示されるように、収集容器１００の開口端１０６は装置１のノズル４を覆って配置される。開口部１２は、収集容器１００の筐体１０２内に配置され、収集容器１００の開口端１０６の周縁部１０８は、段部２０または段部１６のいずれかと係合する。容器１００の開口端部１０６の直径は、どの段部２０または段部１６のようにノズル４に沿って容器１００が係合するかを決定する。収集容器１００は一般に、容器１００が装置１に適合するが臍帯血が収集されたときに除去するのを困難にするほどには密ではないように、ノズル４または段部１６上の位置を見出す。臍の緒２００の遠位端は、それが壁８によって囲まれるように、チャンバ２の開口端６ａを通って空間７の中に配置される。物理的な操作または重力によって臍帯２００から除去された血液または流体は、チャンバ２の開口端６ｂからノズル４内に流れる。流体または血液は、ノズル４の内部チャネル１４を介して開口部１２を通って収集容器１００の中に導かれる。
【００４５】
装置１は、臍帯の遠位端を受け入れて、一定範囲の収集容器（１００）としっかりと接続するように設計されており、これにより、安全で効率的な臍帯血の収集が可能になる。これは、納入された臍帯／胎盤に使用される。無菌装置は、直接の患者ケア領域で使用することができる。これにより、例えば手術室で使用される滅菌／外科用パックに装置を組み込むことが可能になる。例えば、帝王切開パックには、一般的に本発明の装置１、カテーテル、接続チューブ、臍帯クランプ、ジアテルミー／器具ポーチ、ドレープ、ベビーブランケット、ハンドタオル、メイヨーカバー、シャープスボックス、綿棒、ヤンカウアー、ガウン、トロリーカバー、ラップ、クレープ、バッグ、ブリーザーが含まれるであろう。
【００４６】
図６を参照すると、本発明の臍帯血採取装置１の一実施形態が示されており、この実施形態においては、先の実施形態に関して説明した部分には同じ番号が割り当てされている。この実施形態では、ノズル４は、段部１６から遠位端１０の開口部１２まで延びる一連の段部２０を含む。段部２０の円周は段部１６で最も広く始まり、ノズル４の遠位端１０の開口部１２に向かって徐々に狭くなっている。ノズル４はさらに、開口部１２の遠位側の開口部１２ａで終わるロック５０内のチャネルを介して遠位端部１０の開口部１２と流体連通するルアーロック５０を備える。ルアーロック５０は、ロック５０のネジ山５２に螺合する雌継手のタブ付きハブと係合するように構成されたネジ山５２をさらに含む。ルアーロック５０内のチャネルは、無針注射器のような雄型継手と係合するために（開口部１２ａに向かって広く、遠位端１０に向かって先細になる）内部テーパを有することもできる。装置１に組み込まれたルアーロック５０は、様々な直径の流体収集管１００と係合したときに臍帯血の収集を可能にする。ルアーロック５０の接続は、現在および将来使用される可能性のある装置／採血システム、例えば収集管からバッグ、注射器、インターコネクタまで可能な範囲／数を拡大する。
【００４７】
図７Ａを参照すると、本明細書に記載の装置１と共に使用するためのスタンド４００が示されている。スタンド４００はベース４０２を含み、その上に容器４０４とエンクロージャ４０６がある。血管４０４は、一般に、管腔４１０を画定する外壁４０８、開口端４１２、および外壁４０８が基部４０２と接触する開口端から遠位の閉鎖端を有する円筒である。容器４０４は、収集容器１００を受け入れて支持するように構成され、一方、エンクロージャ４０６は、容器１００が装置１と係合したときに容器１００のキャップを保持して固定するように構成される。
【００４８】
図７Ｂを参照すると、本明細書に記載の装置１と共に使用するためのスタンド４００が示されており、その中に図７Ａを参照して説明した部品または段部に同じ番号が割り当てられている。図７Ｂでは、図７Ａのエンクロージャ４０６がエンクロージャ５０６に置き換えられている。エンクロージャ５０６は、基部４０２の外縁の周りに障壁を形成し、血管４０４を囲む堀のような構造を作り出す。容器５０６は、容器１００が装置１と係合したときに使用者が容器１００のキャップを置くことを可能にする。いくつかの例では、エンクロージャ４０６、５０６は、エンクロージャ４０６をエンクロージャ５０６の範囲内にして、同じベース４０２上で組み合わせることができる。
【００４９】
使用時には、容器１００は容器４０４内に配置され、キャップは容器１００から取り外されてエンクロージャ４０６、５０６内に配置される。装置１のノズル４は収集容器１００の開口端部１０６内に配置され、臍帯血は上記の図５に関して説明したように収集される。スタンド４００を使用する利点は、オペレータが手袋をはめた手が臍帯血を収集するときに装置１を独占的に保持することができるので、収集容器１００およびそのラベルを汚染する可能性が大幅に減少することである。スタンド４００は、現在使用されている全ての一般的な収集容器に適合するので、（使用される特定の収集容器によって決定される）様々な収集容器ホルダーの必要性を排除する。
【００５０】
本発明の装置１の利点のいくつかは以下の通りである。
（ａ）（ａ）最も一般的に使用される実験用血液または流体収集容器、例えばＶａｃｕｅｔｔｅ（登録商標）  ９ｍｌ  Ｋ３ＥＤＴＡ、ＢＤ  Ｖａｃｕｔａｉｎｅｒ（登録商標）Ｋ２Ｅ（ＥＤＴＡ）６．０ｍｌ、ＢＤ  Ｖａｃｕｔａｉｎｅｒ（登録商標）Ｋ２Ｅ  ４．０ｍｌ、Ｓａｒｓｔｅｄｔ  Ｍｏｎｏｖｅｔｔｅ（登録商標）７．５ｍｌ  ＥＤＴＡ  ＫＥ、Ｖａｃｕｅｔｔｅ（登録商標）２．５ｍｌ  Ｋ３ＥＤＴＡ、Ｓａｒｓｔｅｄｔ  Ｍｏｎｏｖｅｔｔｅ（登録商標）２．７ｍｌ  ＥＤＴＡ  ＫＥおよびＳａｒｓｔｅｄｔ  Ｍｏｎｏｖｅｔｔｅ（登録商標）２ｍｌ血液ガス容器に適用可能な普遍的かつ正確な適合を可能にする。そのように、血液は適切な保存剤を含む採集管に直接採集される。これは、危険性のある試料生存度（例えば、凝固による）を最小化するのに役立つ。
（ｂ）適切な血液チューブを正確に装着することで、搾乳プロセス中の血液漏れや漏出の危険性が減少する。これにより、血液曝露の職業上のリスクが軽減される。
（ｃ）適切な血液チューブへの直接漏斗は、実験室分析の間にさらなるサブサンプリングの必要性を排除する。これにより、サブサンプリングエラーが回避される。
（ｄ）装置１は、採血または移送のために針を必要としない。血液は臍帯から適切な収集容器に直接採取される。これにより、針刺傷を防ぐことができる。
（ｅ）臍帯の遠位端を収容するチャンバ２は、臍帯を装置１内に容易に挿入し保持することができるように設計されている。これは、臍帯をチャンバ２の壁８に対して親指で安定させながら、臍帯をチャンバ２内に挿入するだけで達成される。チャンバの長さは約４  ｃｍなので、コードの十分な部分を挿入することができ、コードが滑り落ちるのを防ぐ。さらに、チャンバの内面はテクスチャード加工されており、臍帯の遠位端での保持を可能にする。テクスチャーはまた、切断した臍帯の表面とチャンバの内面との間の血流のためのクリアランスを可能にするであろう。
（ｆ）ノズル４を用いることで、移送中に溜まることなく血液を直接回収容器に移送することができる。これは凝固による危険にさらされたサンプルの生存率を最小にするのを助ける。
（ｇ）他の臍帯血採取方法は面倒であり、二組の手を必要とすることがあるが、本明細書に記載の装置１は、両手を使用して一人の個人が容易に使用することができる。さらに、スタンド４００の使用は、現在の／共通の収集容器１００およびキャップがしっかりと収容されることを意味する。
【００５１】
本明細書において、用語「含む（ｃｏｍｐｒｉｓｅ）、含む（ｃｏｍｐｒｉｓｅｓ）、含む（ｃｏｍｐｒｉｓｅｄ）、および含む（ｃｏｍｐｒｉｓｉｎｇ）」またはその任意の変形並びに用語「含む（ｉｎｃｌｕｄｅ）、含む（ｉｎｃｌｕｄｅｓ）、含む（ｉｎｃｌｕｄｅｄ）、および含む（ｉｎｃｌｕｄｉｎｇ）」またはその任意の変形は完全に互換的であるとみなされ、すべて可能な限り広範な解釈を与えるべきであり逆もまた同様である。
【００５２】
本発明は、上記の実施形態に限定されず、構成および詳細の両方において変更することができる。
【図１】
2020512030.tif 000003
【図２】
2020512030.tif 000004
【図３】
2020512030.tif 000005
【図４】
2020512030.tif 000006
【図５】
2020512030.tif 000007
【図６】
2020512030.tif 000008
【図７Ａ】
2020512030.tif 000009
【図７Ｂ】
2020512030.tif 000010
【国際調査報告】
2020512030.tif 000011
2020512030.tif 000012